(57)【要約】      （修正有）【課題】画像が形成された用紙にパンチ穴を開けるときに、パンチやダイスに用紙上のトナーが付着してしまう場合がある。また、ステープル処理を行うときに針押し出し手段にトナーが付着してしまう場合がある。このように後処理を行うための部材にトナーが付着するとそれらの部材に不具合が生じたり、次に後処理を行う用紙にトナーが付着してしまったりする。それによって画像形成装置によって形成された画像に不良が発生してしまうという問題を解決する。【解決手段】画像が形成された記録媒体に後処理が施される位置を表す後処理位置情報を記憶する記憶手段と記憶手段によって記憶されている後処理位置情報を読み出す読み出し手段からなる記憶・読出処理部１９９と、読出手段によって読み出された後処理位置情報が表す位置にある画素のトナー付着量を変換する変換手段からなる画像形成情報変換部１９５、を有することを特徴とする。【選択図】図３
2014006422.tif 000002
【特許請求の範囲】
【請求項１】
画素のトナー付着量と前記画素の位置を表す位置情報に基づいて記録媒体に画像を形成する画像形成装置であって、
前記画像が形成された前記記録媒体に後処理が施される位置を表す後処理位置情報を記憶する記憶手段と、
前記記憶手段によって記憶されている後処理位置情報を読み出す読出手段と、
前記読出手段によって読み出された前記後処理位置情報が表す位置にある画素のトナー付着量を変換する変換手段と、
を有することを特徴とする画像形成装置
【請求項２】
請求項１に記載の画像形成装置であって、
前記画像が形成された前記記録媒体に施される後処理の種別を表す後処理種別情報を受信する受信手段を有し、
前記記憶手段は、前記後処理種別情報に関連付けて前記後処理位置情報を記憶し、
前記読出手段は、前記受信手段によって受信された前記後処理種別情報を検索キーとして前記記憶手段に記憶されている前記位置情報を読み出し、
前記変換手段は、前記読出手段によって読み出された前記後処理位置情報が表す位置にある画素のトナー付着量を変換することを特徴とする画像形成装置。
【請求項３】
請求項１または２に記載の画像形成装置であって、
前記記憶手段は、前記後処理種別情報と、前記後処理が施される前記記録媒体における部分を表す後処理部分情報とに関連付けて、前記後処理位置情報を記憶し、
前記受信手段は前記後処理部分情報を受信し、
前記読出手段は、後処理種別情報と前記後処理部分情報を検索キーとして前記記憶手段に記憶されている前記後処理位置情報を読み出すことを特徴とする画像形成装置。
【請求項４】
請求項１乃至３のいずれか一項に記載の画像形成装置であって、
前記変換手段は前記後処理位置情報抽出手段によって読み出された前記後処理位置情報が表す位置にある画素のトナー付着量を０に変換することを特徴とする画像形成装置。
【請求項５】
請求項１乃至４のいずれか一項に記載の画像形成装置であって、
前記後処理は前記記録媒体にパンチ穴を開ける処理またはステープルを施す処理であることを特徴とする画像形成装置。
【請求項６】
画像形成装置が記録媒体に形成する画像に係る画像情報を変換する画像情報変換装置であって、
前記画像が形成された前記記録媒体に後処理が施される位置を表す後処理位置情報を記憶する記憶手段と、
前記記憶手段によって記憶されている後処理位置情報を読み出す読出手段と、
前記読出手段によって読み出された前記後処理位置情報が表す位置にある画素の各色の明度を変換する変換手段と、
を有することを特徴とする画像情報変換装置。
【請求項７】
請求項６に記載の画像情報変換装置であって、
前記画像が形成された前記記録媒体に施される後処理の種別を表す後処理種別情報を受信する受信手段を有し、
前記記憶手段は、前記後処理種別情報に関連付けて前記後処理位置情報を記憶し、
前記読出手段は、前記受信手段によって受信された前記後処理種別情報を検索キーとして前記記憶手段に記憶されている前記位置情報を読み出し、
前記変換手段は、前記読出手段によって読み出された前記後処理位置情報が表す位置にある画素の各色の明度を変換することを特徴とする画像情報変換装置。
【請求項８】
請求項６または７に記載の画像形成装置であって、
前記記憶手段は、前記後処理種別情報と、前記後処理が施される前記記録媒体における部分を表す後処理部分情報とに関連付けて、前記後処理位置情報を記憶し、
前記受信手段は前記後処理部分情報を受信し、
前記読出手段は、後処理種別情報と前記後処理位置情報を検索キーとして前記記憶手段に記憶されている前記位置情報を読み出すことを特徴とする画像情報変換装置。
【請求項９】
請求項６乃至８のいずれか一項に記載の画像情報変換装置であって、
前記変換手段は前記読出手段によって読み出された位置情報が表す位置にある画素の各色の明度を２５５に変換することを特徴とする画像情報変換装置。
【請求項１０】
画像が形成された記録媒体の後処理が施される位置を表す後処理位置情報を記憶する記憶手段を有する画像情報変換装置が、前記画像に係る画像情報を変換するために実行する画像情報変換プログラムであって、
前記記憶手段によって記憶されている後処理位置情報を読み出す読出工程と、
前記読出工程によって読み出された前記後処理位置情報が表す位置にある画素の各色の明度を変換する変換工程と、
を前記画像情報変換装置に実行させるための画像情報変換プログラム。
【発明の詳細な説明】
【技術分野】
【０００１】
本発明は、記録媒体に形成された画像に光沢を発生させる光沢発生装置に関する。
【背景技術】
【０００２】
近年、複写機やプリンタ等の画像形成装置が画像を形成した用紙にパンチ穴を開けたり、ステープルを施したりする後処理の技術が知られている。たとえば、特許文献１には、画像形成された用紙が搬送され、パンチユニットのパンチとダイスが噛み合うことでパンチ穴が開けられることが記載されている。また、特許文献２には、ステープル処理として針押し出し手段がステープル針を記録紙上に打ち出し、打ち出された針の先端部が記録紙を貫通すると針先が折り曲げられて記録紙束の底面にくい込み固定される処理が記載されている。
【発明の概要】
【発明が解決しようとする課題】
【０００３】
しかしながら、上述のように画像が形成された用紙にパンチ穴を開けるときに、パンチやダイスに用紙上のトナーが付着してしまう場合がある。また、ステープル処理を行うときに針押し出し手段にトナーが付着してしまう場合がある。このように後処理を行うための部材にトナーが付着するとそれらの部材に不具合が生じたり、次に後処理を行う用紙にトナーが付着してしまったりする。それによって画像形成装置によって形成された画像に不良が発生してしまうという課題がある。
【課題を解決するための手段】
【０００４】
上記の課題を解決するため、請求項１にかかる発明は、画素のトナー付着量と前記画素の位置を表す位置情報に基づいて記録媒体に画像を形成する画像形成装置であって、前記画像が形成された前記記録媒体に後処理が施される位置を表す後処理位置情報を記憶する記憶手段と、前記記憶手段によって記憶されている後処理位置情報を読み出す読出手段と、前記読出手段によって読み出された前記後処理位置情報が表す位置にある画素のトナー付着量を変換する変換手段と、を有することを特徴とする。
【発明の効果】
【０００５】
本発明によれば、画像が形成された前記記録媒体に後処理が施される位置を表す後処理位置情報を記憶する記憶手段と、前記記憶手段によって記憶されている後処理位置情報を読み出す読出手段と、前記読出手段によって読み出された前記後処理位置情報が表す位置にある画素のトナー付着量を変換する変換手段と、を有するため、後処理装置２の部材や次に後処理を行う用紙にトナーが付着せず、画像に不良が発生するのを防ぐことができるという効果を奏する。
【図面の簡単な説明】
【０００６】
【図１】第一の実施形態における画像形成システムの全体構成を示す図である。
【図２】第一の実施形態における画像形成装置１の制御部１０のハードウェア構成を示す図である。
【図３】第一の実施形態における画像形成装置１の制御部１０の機能構成を示す図である。
【図４】第一の実施形態における後処理管理テーブルの例を示す図である。
【図５】第一の実施形態における後処理装置２の制御部２０のハードウェア構成を示す図である。
【図６】第一の実施形態における後処理装置２の制御部２０の機能構成を示す図である。
【図７】第一の実施形態における画像形成装置１が行う処理を示した処理フロー図である。
【図８】第一の実施形態における画像形成情報を概念的に表した図である。
【図９】第一の実施形態において画像形成情報変換部１９５が画像形成情報を変換する処理の詳細を示した処理フロー図である。
【図１０】第一の実施形態における後処理装置２が行う処理を示した処理フロー図である。
【図１１】第二の実施形態における情報処理装置３のハードウェア構成を示す図である。
【図１２】第二の実施形態における情報処理装置３の機能構成を示す図である。
【図１３】第二の実施形態における情報処理装置３が行う処理の詳細を示した処理フロー図である。
【発明を実施するための形態】
【０００７】
＜＜第一の実施形態の構成＞＞
以下、図１乃至図１０を用いて、本発明の第一の実施形態について説明する。図１は、第一の実施形態における画像形成システムの全体構成を示す図である。図２は、第一の実施形態における画像形成装置１の制御部１０のハードウェア構成を示す図である。
【０００８】
第一の実施形態の画像形成システムは、図１に示されるとおり画像形成装置１、後処理装置２を備えている。また、画像形成装置１は後処理装置２と情報を互いに送受信できるものであり、また、画像形成装置１が用紙を排出する排出口の近傍には後処理装置２に用紙が挿入されるための挿入口が設けられている。
【０００９】
＜画像形成装置のハードウェア構成＞
画像形成装置１は、記録媒体の一例としての用紙に画像を形成する。第一の実施形態においては図１に示されるように画像形成装置１の最上部に画像読取部１１が設けられている。画像読取部１１は、コンタクトガラス１１１に載置された原稿を光学的に読み取ることによりＲＧＢ画像情報を生成するものである。具体的には、用紙に光を当ててその反射光をＣＣＤ（Ｃｈａｒｇｅ Ｃｏｕｐｌｅｄ Ｄｅｖｉｃｅｓ）、またはＣＩＳ（Ｃｏｎｔａｃｔ Ｉｍａｇｅ Ｓｅｎｓｏｒ）等の読取センサ１１２で受光することによってＲＧＢ画像情報を読み取る。なお、ＲＧＢ画像情報とは、用紙等の記録媒体に形成させる画像を表す情報であり、赤（Ｒ）、緑（Ｇ）、青（Ｂ）の各色の明度を含むものである。
【００１０】
また、画像形成装置１の中央部には駆動ローラ１４１、従動ローラ１４２、二次転写ローラ１４５に架け渡された中間転写ベルト１４３が設けられている。そして、中間転写ベルト１４３と接するように４つの感光体ドラム１２２Ｃ、１２２Ｍ、１２２Ｙ、１２２Ｋが設けられている。感光体ドラム１２２Ｃ、１２２Ｍ、１２２Ｙ、１２２Ｋにはそれぞれ、シアン（Ｃ）色、マゼンタ（Ｍ）色、イエロー（Ｙ）色、ブラック（Ｋ）色のトナーによって画像が形成される。各感光体ドラム１２２Ｃ、１２２Ｍ、１２２Ｙ、１２２Ｋに対向して中間転写ベルト１４３を挟んで、一次転写ローラ１４４Ｃ、１４４Ｍ、１４４Ｙ、１４４Ｋが設けられている。各感光体ドラム１２２Ｃ、１２２Ｍ、１２２Ｙ、１２２Ｋに形成された画像が中間転写ベルト１４３の表面の同じ部分に転写されることによってトナー像が形成される。
【００１１】
また、二次転写ローラ１４５と対向する位置に二次対向ローラ１４６が設けられている。二次転写ローラ１４５は二次対向ローラ１４６との間に、表面にカラー画像が形成された中間転写ベルト１４３とともに用紙を加圧する。
【００１２】
感光体ドラム１２２Ｃの近傍には帯電部１２３Ｃが設けられている。帯電部１２３Ｃは感光体ドラム１２２Ｃの表面を一様に帯電する。また感光体ドラム１２２Ｃの近傍には露光部１２４Ｃが設けられている。露光部１２４Ｃは、帯電部１２３Ｃによって帯電された感光体ドラム１２２Ｃの表面に、後述する制御部１０によって決定されたＣ色の網点面積率に応じたトナー付着量に基づいて静電潜像を形成する。さらに、感光体ドラム１２２Ｃの近傍には現像部１２５Ｃが設けられており、表面に静電潜像が形成された感光体ドラム１２２Ｃにトナーを付着させることによってトナー像を形成する。一次転写ローラ１４４Ｃは感光体ドラム１２２Ｃとの間に挟まれた中間転写ベルト１４３に一次転写バイアスをかける。なお、一次転写バイアスとは、感光体ドラム１２２の表面に帯電されている静電荷とは逆の電荷である。
【００１３】
なお、感光体ドラム１２２Ｃ、帯電部１２３Ｃ、露光部１２４Ｃ、現像部１２５Ｃを有するものを作像部１２Ｃという。また、画像形成装置１は作像部１２Ｍ、１２Ｙ、１２Ｋを有しており、それぞれマゼンタ（Ｍ）色、イエロー（Ｙ）色、ブラック（Ｋ）色のトナーを用いて作像する点を除いては作像部１２Ｃと同様の構成を有している。
【００１４】
給紙部１３は、二次転写ローラ１４５および二次対向ローラ１４６の間に用紙を供給する。給紙部１３は、給紙トレイ１３１、給紙ローラ１３２、給紙ベルト１３３、およびレジストローラ１３４を備えている。給紙トレイ１３１は用紙を収容している。給紙ローラ１３２は、給紙トレイ１３１に収容されている用紙を給紙ベルトの方へ搬送するために回転するように設けられている。このように設けられている給紙ローラ１３２は、収容されている用紙のうち最上段にある用紙を一枚ずつ取り出し、給紙ベルトに載置する。
【００１５】
給紙ベルト１３３は、給紙ローラ１３２によって取り出された用紙を二次転写ローラ１４５へ搬送する。給紙ベルト１３３において、用紙が二次転写ローラ１４５に到達する手前にレジストローラ１３４に設置される。レジストローラ１３４は中間転写ベルト１４３のトナー像が形成されている部分が二次転写ローラ１４５の位置に到達するタイミングで搬送された用紙を送り出すものである。
【００１６】
定着部１５は、中間転写ベルト１４３から用紙に転写されたトナーを定着させる。定着とは、熱と圧力が同時にトナーに加わることによってトナーの樹脂成分が用紙に溶着することである。定着部１５においては定着ローラ１５３と定着対向ローラ１５５とが互いに対向して設けられている。また、二次転写ローラ１４５にて画像が転写された用紙を定着ローラの位置まで搬送する搬送ベルト１５１が設けられている。搬送ベルト１５１によって搬送された用紙を、定着ローラ１５３が定着対向ローラ１５５と挟みこんで加圧する。さらに、定着ローラ１５３の内部には発熱部１５６が設置される。発熱部１５６は熱を発するものであり、定着ローラ１５３を介して用紙を加熱する。
【００１７】
また、画像形成装置１の外側には表示・操作部１８が設けられている。表示・操作部１８は、パネル表示部１８１および操作部１８２を有している。パネル表示部１８１は設定値や選択画面等が表示され、ユーザからの入力を受け付けるタッチパネル等である。ユーザはこのタッチパネルを操作することによって、画像が形成された用紙に施される後処理の内容を表す後処理情報を選択することができる。操作部１８２は、画像を形成する部数を指定するためのテンキー、複写開始指示を受け付けるスタートキー等のユーザが入力をするために操作を行うものである。なお、後処理とは後述する後処理装置２が実行する処理であり、画像が形成された用紙にパンチ穴を開けたり、ステープルを施したりする処理である。
【００１８】
また、画像形成装置１には上記の各部を制御するための制御部１０が設けられている。制御部１０は、図２に示されるようにＣＰＵ（Ｃｅｎｔｒａｌ Ｐｒｏｃｅｓｓｉｎｇ Ｕｎｉｔ）１０１１、メインメモリ（ＭＥＭ−Ｐ）１０１２、ノースブリッジ（ＮＢ）１０１３、サウスブリッジ（ＳＢ）１０１４、ＡＧＰ（Ａｃｃｅｌｅｒａｔｅｄ Ｇｒａｐｈｉｃｓ Ｐｏｒｔ）バス１０１５、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）１０１６、ローカルメモリ（ＭＥＭ−Ｃ）１０１７、ＨＤ（Ｈａｒｄ Ｄｉｓｋ）１０１８、ＨＤＤ（Ｈａｒｄ Ｄｉｓｋ Ｄｒｉｖｅ）１０１９、ＰＣＩバス１０２０、ネットワークＩ／Ｆ１０２１を有している。
【００１９】
ＣＰＵ１０１１は、メインメモリ１０１２に記憶されたプログラムに従って、データを加工・演算したり、上述した各部の動作を制御したりするものである。メインメモリ１０１２は制御部１０の記憶領域であり、ＲＯＭ（Ｒｅａｄ Ｏｎｌｙ Ｍｅｍｏｒｙ）１０１２ａ、ＲＡＭ（Ｒａｎｄｏｍ Ａｃｃｅｓｓ Ｍｅｍｏｒｙ）１０１２ｂを有している。ＲＯＭ１０１２ａは、制御部１０の各機能を実現させるプログラムやデータの格納用メモリである。ＲＯＭ１０１２ａに記憶されているプログラムは、インストール可能な形式又は実行可能な形式のファイルでＣＤ−ＲＯＭ、ＦＤ、ＣＤ−Ｒ、ＤＶＤ等のコンピュータで読み取り可能な記録媒体に記録して提供するように構成してもよい。
【００２０】
ＲＡＭ１０１２ｂは、プログラムやデータの展開、及びメモリ印刷時の描画用メモリなどとして用いる。ＮＢ１０１３は、ＣＰＵ１０１１と、ＭＥＭ−Ｐ１０１２、ＳＢ１０１４、及びＡＧＰバス１０１５とを接続するためのブリッジである。ＳＢ１０１４は、ＮＢ１０１３と周辺デバイスとを接続するためのブリッジである。ＡＧＰバス１０１５は、グラフィック処理を高速化するために提案されたグラフィックスアクセラレータカード用のバスインタフェースである。ＡＳＩＣ１０１６は、ＭＥＭ−Ｃ１０１７を制御するメモリコントローラ、ハードウェアロジックなどにより画像データの回転などを行う複数のＤＭＡＣ（Ｄｉｒｅｃｔ Ｍｅｍｏｒｙ Ａｃｃｅｓｓ Ｃｏｎｔｒｏｌｌｅｒ）からなる。ＡＳＩＣ１０１６は、ＰＣＩバス１０２０を介してＵＳＢ（Ｕｎｉｖｅｒｓａｌ Ｓｅｒｉａｌ Ｂｕｓ）インタフェース、ＩＥＥＥ１３９４（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ １３９４）インタフェース等のネットワークＩ／Ｆ１０２１に接続されている。
【００２１】
ＭＥＭ−Ｃ１０１７は、コピー用画像バッファ及び符号バッファとして用いるローカルメモリである。ＨＤ１０１８は、画像データの蓄積、印刷時に用いるフォントデータの蓄積、フォームの蓄積を行うためのストレージである。ＨＤＤ１０１９は、ＣＰＵ１０１１の制御にしたがってＨＤ１０１８に対するデータの読み出し又は書き込みを制御する。ネットワークＩ／Ｆ１０２１は、通信ネットワークを介して情報処理装置等の外部機器と情報を送受信する。
【００２２】
＜画像形成装置１の機能構成＞
次に、第一の実施形態における画像形成装置１の制御部１０の機能構成について図３および図４を用いて説明する。図３は、第一の実施形態における画像形成装置１の機能構成を示す図である。図４は、第一の実施形態における後処理管理テーブルの例を示す図である。
【００２３】
制御部１０は画像形成装置１の動作を制御するものであり、図３に示されるように送受信部１９１、入力受付部１９２、画像読取制御部１９３、画像形成情報生成部１９４、画像形成情報変換部１９５、画像形成制御部１９６、および記憶・読出処理部１９９を有している。これら各部は、図２に示されているＲＯＭ１０１２ａに記憶されているプログラムに従ったＣＰＵ１０１１からの命令によって動作することで実現される機能又は手段である。また、制御部１０は、図２に示されているＲＯＭ１０１２ａ、またはＨＤ１０１８によって構築される記憶部１９００を有している。
【００２４】
記憶部１９００には図４に示されるような後処理管理テーブルによって構成される後処理管理データベース１９０１が構築されている。後処理管理テーブルでは、後処理情報と後処理位置情報が関連付けられて管理されている。後処理情報とは、後処理種別および後処理部分を含む情報であり、後処理種別とは、後述する後処理装置２が画像を形成した用紙にパンチ穴を開ける「パンチ穴」であるか、ステープルを施す「ステープル処理」であるか、いずれの後処理も施さない「無し」であるか、を表す情報である。また、後処理部分とは、後処理を行う用紙上の部分を表す情報であり、具体的には後処理種別が「パンチ穴」である場合には、画像が形成された用紙の左部、右部、上部のいずれの部分にパンチ穴を開けるかを示す情報である。また、後処理種別が「ステープル処理」である場合には、後処理部分とは用紙の右上部、左上部、上部、左部のいずれにステープルを施すかを示す情報である。
【００２５】
また、後処理位置座標とは後処理位置情報の一例であり、パンチ穴が開けられる後処理部分、またはステープルが施される後処理部分の用紙における位置を表す座標である。この座標が表す位置は、画像形成装置１によって形成される画像を構成する画素の位置に対応している。図４に示される例においては、後処理種別「パンチ穴」、後処理部分「左部」に関連付けられて、後処理位置座標「（１０８，３１２）〜（１４２，３４６）、（１０８，９３６）〜（１４２，９６８）」が後処理管理テーブルに管理されている。記憶部１９００は記憶手段の一例である。記憶・読出処理部１９９は、図２に示されているＨＤＤ１９９によって実行され、記憶部１９００に後処理情報を記憶したり、記憶部１９００に記憶された後処理情報を読み出したりする処理を行う。記憶・読出処理部１９９は読出手段の一例である。
【００２６】
送受信部１９１は、図２に示されているネットワークＩ／Ｆ１０２１によって実現され、通信ネットワークを介して情報処理装置等からＲＧＢ画像情報を受信する。ＲＧＢ画像情報とは、用紙等の記録媒体に形成させる画像を表す情報であり、赤（Ｒ）、緑（Ｇ）、青（Ｂ）の各色の明度を用いて示されたものである。また、送受信部１９１は通信ネットワークを介して後処理装置２に後処理情報を送信したり、情報処理装置等から後処理情報を受信したりする。なお、送受信部１９１は、受信手段の一例である。
【００２７】
入力受付部１９２は、図１に示されている表示・操作部１８からユーザによって入力された各種情報を受け付ける。画像読取制御部１９３は、図１に示されている画像読取部１１が用紙に記載されている画像を光学的に読み取りＲＧＢ画像情報を生成するよう制御する。
【００２８】
画像形成情報生成部１９４は、送受信部１９１によって受信されたＲＧＢ画像情報または画像読取制御部１９３によって受け付けられたＲＧＢ画像情報に対して、色空間変換処理および下色除去処理を行う。これらの処理を行うことによって、画像形成情報生成部１９４は、ＲＧＢ画像情報をＣ色、Ｍ色、Ｙ色、Ｋ色の各トナーが形成する網点の面積率であるＲｃ、Ｒｍ、Ｒｙ、Ｒｋに変換し、各画素の位置を表す座標に網点面積率が関連付けられている画像形成情報を生成する。なお、画像形成情報生成部１９４は色空間変換処理、下色除去処理のほかにシェーディング補正、位置ズレ補正、色空間の変換、ガンマ補正等を行ってもよい。なお、網点面積率とは、用紙上の一画素をなす面積のうち各色のトナーによって網点が形成される面積の割合である。また、画像形成装置１の作像部１２Ｃ、１２Ｍ、１２Ｙ、１２Ｋは網点面積率に応じたトナー付着量を感光体ドラム１２２Ｃ、１２２Ｍ、１２２Ｙ、１２２Ｋに付着させるので、網点面積率はトナー付着量の一例とする。
【００２９】
画像形成情報変換部１９５は、画像形成情報生成部１９４によって生成された画像形成情報を後処理情報に基づいて変換する。具体的には、送受信部１９１によって受信された後処理情報に含まれる後処理種別および後処理部分に基づいて記憶・読出処理部１９９が後処理位置座標を読み出す。画像形成情報変換部１９５は、読み出された後処理位置座標が表す位置の画素の各色の網点面積率をＲｃ＝０、Ｒｍ＝０、Ｒｙ＝０、Ｒｋ＝０と変換する。なお、画像形成情報変換部１９５は変換手段の一例である。
【００３０】
画像形成制御部１９６は、作像部１２Ｃ、１２Ｍ、１２Ｙ、１２Ｋを制御する作像制御部１９６２、給紙部１３を制御する給紙制御部１９６３、一次転写ローラ１４４、二次転写ローラ１４５、中間転写ベルト１４３等を制御する転写制御部１９６４、定着部１５を制御する定着制御部１９６５を有する。
【００３１】
＜後処理装置２のハードウェア構成＞
続いて、第一の実施形態に係る後処理装置２について図１および図５を用いて説明する。図５は、第一の実施形態における後処理装置２の制御部２０のハードウェア構成を示す図である。
【００３２】
後処理装置２は、画像形成装置１によって画像が形成された用紙にパンチ穴を開けたり、ステープルを施したりする。後処理装置２は、図１に示されるように用紙が挿入される挿入口近傍に切替部２１を有している。後述する制御部２０の制御に基づいて複数の搬送路のうち一の搬送路で用紙が搬送されるように、切替部２１が切り替えられる。また、後処理装置２は３つの搬送路２２１、２２２、２２３を有しており、搬送路２２２にはパンチ部２３が設けられている。パンチ部２３は、制御部２０の制御に基づいて用紙にパンチ穴を開けるものであり、ポンチ２３１とダイス２３２を有している。ポンチ２３１とダイス２３２は互いに対向するように設けられており、ポンチ２３１がダイス２３２との間に用紙を挟んだ状態でダイス２３２の穴と噛み合うと用紙にパンチ穴が空けられる。
【００３３】
また、搬送路２２３にはステープル部２４が設けられている。ステープル部２４は後述する制御部２０の制御に基づいて用紙にステープル処理を施すものである。また、搬送路２２１にはパンチ部２３、ステープル部２４のいずれも設けられていず、搬送路２２１は排出口まで続いている。また、搬送路２２２、搬送路２２３はそれぞれパンチ部２３、ステープル部２４の先に設けられている排出口まで続いている。
【００３４】
後処理装置２は制御部２０を有している。制御部２０は、図５に示されるように後処理装置２全体の動作を制御するＣＰＵ２０１、情報処理プログラムを記憶したＲＯＭ２０２、ＣＰＵ２０１のワークエリアとして使用されるＲＡＭ２０３、各種データを記憶するＨＤ（Ｈａｒｄ Ｄｉｓｋ）２０４、ＣＰＵ２０１の制御にしたがってＨＤ２０４に対する各種データの読み出し又は書き込みを制御するＨＤＤ（Ｈａｒｄ Ｄｉｓｋ Ｄｒｉｖｅ）２０５、通信ネットワークを利用してデータ伝送をするためのネットワークＩ／Ｆ（Ｉｎｔｅｒｆａｃｅ）２０６、および上記各構成要素を電気的に接続するためのアドレスバスやデータバス等のバスライン２０７を備えている。また、ＲＯＭ２０２には、後処理装置２を制御するための後処理制御プログラムが記憶されている。
【００３５】
＜後処理装置２の機能構成＞
続いて、後処理装置２の機能構成について説明する。図６は、第一の実施形態における後処理装置２の制御部２０の機能構成を示す図である。図６に示されるように、制御部２０は送受信部２９１、切替制御部２９２、後処理制御部２９３を有している。これら各部は、図５に示されているＲＯＭ２０２に記憶されているプログラムに従ったＣＰＵ２０１からの命令によって動作することで実現される機能又は手段である。送受信部２９１は画像形成装置１から後処理情報を受信する。切替制御部２９２は送受信部２９１によって受信された後処理情報に含まれる後処理種別に基づいて切替部２１を制御して用紙の搬送路を切り替えさせる。後処理制御部２９３は送受信部２９１によって受信された後処理情報に含まれる後処理情報および後処理部分に基づいて、パンチ部２３およびステープル部２４の動作を制御する。
【００３６】
＜第一の実施形態の動作＞
図７乃至図１０を用いて、第一の実施形態に係る画像形成及び後処理に係る動作について説明する。図７は、第一の実施形態における画像形成装置１が行う処理を示した処理フロー図である。図８は、第一の実施形態における画像形成情報を概念的に表した図である。図９は、第一の実施形態にいて画像形成情報変換部１９５が画像形成情報を変換する処理の詳細を示した処理フロー図である。図１０は、第一の実施形態における後処理装置２が行う処理の詳細を示した処理フロー図である。
【００３７】
図７に示されるように、まず、送受信部１９１がＲＧＢ画像情報および後処理情報を外部の情報処理装置等から受信する（ステップＳ２１）。送受信部１９１が情報処理装置等から通信ネットワークを経由してＲＧＢ画像情報および後処理情報を受信すると、受信されたＲＧＢ画像情報に基づいて画像形成情報生成部１９４がＣ色、Ｍ色、Ｙ色、Ｋ色のトナーによって形成される網点の網点面積率Ｒｃ、Ｒｍ、Ｒｙ、Ｒｋで表される画像形成情報を生成する（ステップＳ２２）。
【００３８】
具体的には、画像形成情報生成部１９４はＲＧＢ画像情報に対して色空間変換処理および下色除去処理を行うことによって、Ｃ色、Ｍ色、Ｙ色のトナーによって形成される網点の面積率である網点面積率Ｒｃ、Ｒｍ、Ｒｙ、Ｒｋを算出する。なお、画像形成情報生成部１９４は、ＲＧＢ画像情報に対して色変換処理のほか、色補正処理、空間周波数補正処理等の公知の画像処理を実行してもよい。さらに、画像形成情報生成部１９４は用紙上の全ての画素について網点面積率を算出し、用紙上の全ての画素の用紙における位置とその位置に対応する網点面積率を含む情報である画像形成情報を生成する。
【００３９】
図８（１）は画像形成情報を概念的に表した図であり、画素の位置ごとの各色の網点面積率Ｒｃ、Ｒｍ、Ｒｙ、Ｒｋを表したものである。画像形成情報には全ての画素について位置ごとの各色の網点面積率Ｒｃ、Ｒｍ、Ｒｙ、Ｒｋを含んでいるが、図８（１）に示される図では例として、座標（ｘ１、ｙ１）、（ｘ２、ｙ２）、（ｘ３、ｙ３）に対応する各色の網点面積率Ｒｃ、Ｒｍ、Ｒｙ、Ｒｋが表されている。この例では、座標（ｘ１、ｙ１）で表される位置の画素の網点面積率はそれぞれＲｃ＝５２、Ｒｍ＝７８、Ｒｙ＝０、Ｒｋ＝１７である。また、座標（ｘ２、ｙ２）で表される位置の画素の網点面積率はそれぞれＲｃ＝１０８、Ｒｍ＝０、Ｒｙ＝９２、Ｒｋ＝３８である。また、座標（ｘ３、ｙ３）で表される位置の画素の網点面積率はそれぞれＲｃ＝２８、Ｒｍ＝２３８、Ｒｙ＝０、Ｒｋ＝５２である。
【００４０】
ステップＳ２２で画像形成情報が生成されると、ステップＳ２１で受信された後処理情報に基づいて画像形成情報変換部１９５が画像形成情報を変換する（ステップＳ２３）。まず、記憶・読出処理部１９９が送受信部１９１によって受信された後処理情報に含まれる後処理種別および後処理部分を検索キーとして関連付けて記憶されている後処理位置情報を読み出す（ステップＳ２３１）。そして、画像形成情報変換部１９５が記憶・読出処理部１９９によって読み出された位置情報が表す用紙上の位置にある画素の各色の網点面積率Ｒｃ、Ｒｍ、Ｒｙ、Ｒｋを０と変換する（ステップＳ２３２）。
【００４１】
たとえば、後処理情報において後処理種別が「パンチ穴」、後処理部分が「左部」である場合、記憶・読出処理部１９９は後処理管理ＤＢ１９００の後処理管理テーブルから、関連付けて記憶されている後処理位置座標「（１０８，３１２）〜（１４２，３４６）、（１０８，９３６）〜（１４２，９６８）」を読み出す。図８（２）は図８（１）で画像形成情報が示された用紙において、パンチ穴が開けられる部分Ａを示したものであり、ここで読み出された複数の後処理位置座標は図８（２）のＡで示される部分を表す座標群である。画像形成情報変換部１９５は、図８（１）に示される画像形成情報のうち、図８（２）に示されるような後処理位置座標にある画素の各色の網点面積率Ｒｃ、Ｒｍ、Ｒｙ、Ｒｋを０として変換する。例えば、この後処理位置座標であらわされる座標のひとつである座標（ｘ２、ｙ２）の画素の網点面積率は画像形成情報変換部１９５によってＲｃ＝０、Ｒｍ＝０、Ｒｙ＝０、Ｒｋ＝０と変換される。なお、記憶・読出処理部１９９によって読み出された後処理位置座標以外の座標にある画素の網点面積率は画像形成情報生成部１９４によって生成された網点面積率Ｒｃ、Ｒｍ、Ｒｙ、Ｒｋと同じ値とされる。
【００４２】
また、後処理情報において後処理種別が「ステープル」、後処理部分が「右上部」である場合、記憶・読出処理部１９９は後処理管理ＤＢ１９００の後処理管理テーブルから、関連付けて記憶されている後処理位置座標「（８９６，１２８）、（８９６，１２９）、（８９７，１２９）、・・・、（９２７，１８６）」を読み出す。図８（２）は図８（１）で画像形成情報が示された用紙において、ステープル処理が施される部分Ｂを示したものであり、ここで読み出された後処理位置座標は図８（３）のＢで示される部分を表す座標である。画像形成情報変換部１９５は、図８（１）に示される画像形成情報のうち、図８（３）に示されるような後処理位置座標にある画素の各色の網点面積率Ｒｃ、Ｒｍ、Ｒｙ、Ｒｋを０と変換する。例えば、この後処理位置座標であらわされる座標のひとつである座標（ｘ３、ｙ３）で表される位置の画素の網点面積率はＲｃ＝０、Ｒｍ＝０、Ｒｙ＝０、Ｒｋ＝０と変換される。なお、記憶・読出処理部１９９によって読み出された後処理位置座標以外の座標にある画素の網点面積率は画像形成情報生成部１９４によって生成された網点面積率Ｒｃ、Ｒｍ、Ｒｙ、Ｒｋと同じ値とされる。
【００４３】
以上のように、画像形成情報生成部１９４にて生成された画像形成情報は画像形成情報変換部１９５によって変換される。
【００４４】
図７に戻って以降の処理について説明する。上述のように画像形成情報が変換されると、給紙制御部１９６３の制御によって給紙部１３が給紙処理を行う（ステップＳ２４）。具体的には、給紙部１３の給紙ローラ１３２が給紙トレイ１３１に収容されている用紙を１枚ずつ取り出し、給紙ベルト１３３に載置する。給紙ベルト１３３は、図１に示す矢印（ア）の向きに移動することによって、載置された用紙をレジストローラ１３４の方向へ搬送する。搬送された用紙がレジストローラ１３４に到達すると、中間転写ベルト１４３の表面に形成されたトナー像が転写部１４の二次転写ローラ１４５に到達するまでレジストローラ１３４が用紙を挟み込んで待機させる。そして、中間転写ベルト１４３の表面に形成されたトナー像が転写部１４の二次転写ローラ１４５に達するタイミングで、レジストローラ１３４は二次転写ローラ１４５と二次対向ローラ１４６の間に用紙を送り込む。
【００４５】
一方、作像制御部１９６２に制御によって、作像部１２Ｃ、１２Ｍ、１２Ｙ、１２ＫはステップＳ２３で画像形成情報変換部１９５によって変換された画像形成情報に基づいて、感光体ドラム１２２に各トナーを付着させる作像処理を行う（ステップＳ２５）。具体的には、まず、帯電部１２３Ｃが、回転する感光体ドラム１２２Ｃの表面を一様に帯電させる。そして、露光部１２４Ｃが、帯電部１２３Ｃによって帯電された感光体ドラム１２２Ｃの表面に、画像形成情報の網点面積率Ｒｃに基づいてレーザ光を照射する。これによって、感光体ドラム１２２Ｃの表面には静電荷が網点面積率Ｒｃの網点で構成される画像の静電潜像が形成される。
【００４６】
感光体ドラム１２２Ｃの表面に静電潜像が形成されると、現像部１２５ＣはＣ色のトナーを用いて帯電部１２３Ｃおよび露光部１２４Ｃによって形成された静電潜像を現像する。このようにして感光体ドラム１２２Ｃの表面にＣ色のトナー像が作像される。同様にして、感光体ドラム１２２Ｍ、１２２Ｙ、１２２Ｋの表面にそれぞれＭ色トナー、Ｙ色トナー、Ｋ色トナーによってトナー像が作像される。これらの作像は感光体ドラム１２２Ｃの表面にＣ色のトナー像が作像されるための処理と同様であるため説明を省略する。
【００４７】
各感光体ドラム１２２の表面に各色のトナー像が作像されると、転写制御部１９６４の制御によって転写処理が行われる（ステップＳ２６）。
【００４８】
具体的には、まず、一次転写ローラ１４４が中間転写ベルト１４３に一次転写バイアスをかける。すると、中間転写ベルト１４３に各感光体ドラム１２２の表面のトナー像が転写（以降、一次転写という）される。
【００４９】
次に、トナー像が転写された中間転写ベルト１４３は、駆動ローラ１４１および従動ローラ１４２が回転することによって矢印（イ）の方向へ移動する。中間転写ベルト１４３のトナー像が転写された部分が二次転写ローラ１４５に到達するタイミングで、給紙部１３のレジストローラ１３４が待機させている用紙を送り出す。レジストローラ１３４によって用紙が送り出されると、駆動ローラ１４１、従動ローラ１４２によって回転している二次転写ローラ１４５が二次対向ローラ１４６との間で用紙と中間転写ベルト１４３を挟み込み、二次転写バイアスをかける。すると、中間転写ベルト１４３の表面に形成されているトナー像が用紙に転写（以降、二次転写という）される。なお、二次転写バイアスとは、中間転写ベルト１４３の表面に帯電されている静電荷とは逆の電荷である。
【００５０】
このように、用紙にトナー像が転写されると、定着制御部１９６５の制御によって定着部１５が定着処理を行う（ステップＳ２７）。具体的には、まず、定着部１５の搬送ベルト１５１はトナー像が転写された用紙を定着ローラ１５３の方向へ搬送する。搬送された用紙が定着ローラ１５３と定着ベルト１５２とが接する位置に到達すると、定着ローラ１５３は定着対向ローラ１５５との間に用紙を挟み込む。このとき、定着ローラ１５３は発熱部１５６によって加熱されているので、用紙は加圧されるのと同時に所定の定着温度で加熱される。そして、用紙上に転写されたトナー像を形成するトナーは加熱されることによって溶融し、定着ローラ１５３と定着対向ローラ１５５が溶融されたトナーを加圧するとトナーの樹脂成分が用紙に定着する。ステップＳ２７で定着処理が行われると、用紙は排紙口から排紙される（ステップＳ２８）。
【００５１】
続いて、ステップＳ２８で排出された用紙が挿入された後処理装置２における処理について図１０を用いて説明する。図１０に示されるように後処理装置２において用紙が挿入されると後処理装置２の送受信部２９１は画像形成装置１から後処理情報を受信する（ステップＳ３１）。送受信部２９１が後処理情報を受信すると、切替制御部２９２は後処理情報が表す後処理種別が「パンチ穴」であるか否かを判定する（ステップＳ３２）。
【００５２】
送受信部２９１によって受信された後処理情報が表す後処理種別が「パンチ穴」であった場合、切替制御部２９２は搬送路２２２で用紙が搬送されるように切替部２１を切り替える（ステップＳ３３）。ステップＳ３３で切替部２１が切り替わり、用紙が搬送路２２２で搬送されパンチ部２３に到達すると、パンチ部２３は、送受信部２９１によって受信された後処理情報が表す後処理部分に用紙のパンチ穴を開ける（ステップＳ３４）。
【００５３】
ステップＳ３２で後処理種別が「パンチ穴」でないと判断された場合、後処理種別が「ステープル」あるか否かを判定する（ステップＳ３５）。後処理種別が「ステープル」であった場合、切替制御部２９２は搬送路２２３で用紙が搬送されるように切替部２１を切り替える（ステップＳ３６）。ステップＳ３６で切替部２１が切り替わり用紙が搬送路２２３で搬送されステープル部２４に到達すると、ステープル部２４は送受信部２９１によって受信された後処理情報が表す後処理部分にステープル処理を施す（ステップＳ３７）。ステップＳ３５で後処理種別が「ステープル」でなかった場合、切替制御部２９２は搬送路２２１で用紙が搬送されるように切替部２１を切り替え（ステップＳ３８）、用紙は搬送路２２１で搬送される。
【００５４】
そして、ステップＳ３４でパンチ穴を開けられた用紙、ステップＳ３７でステープル処理を施された用紙、および搬送路２２１で搬送されている用紙は後処理装置２の排紙口へ搬送され、排紙口から排出されて（ステップＳ３９）、排紙トレイ２５に格納される（ステップＳ４０）。
【００５５】
以上説明したように第一の実施形態によれば、画像形成装置１は、画像形成情報において用紙上の後処理が施される部分の網点面積率を０と変換する。したがって、後処理装置２が、画像が形成された用紙に穴を開けたり、ステープル処理を施したりする際に、パンチ部２３やステープル部２４にトナーは付着されない。これにより、パンチ部２３やステープル部２４に不具合が発生したり、次に後処理を行う用紙にトナーが付着して画像に不良が発生したりするのを防ぐことができるという効果を奏する。
【００５６】
＜＜第二の実施形態＞＞
上記の実施形態では、画像形成装置１の制御部１０が画像形成情報変換部１９５を有しているが、画像形成装置１に通信ネットワーク等を経由して情報を送信するパーソナルコンピュータ等の情報処理装置３がＲＧＢ画像情報変換部３３を有するとしてもよい。以降では、そのような場合における画像形成装置１、後処理装置２、情報処理装置３の構成及び動作について図１１乃至図１３を用いて説明する。図１１は、第二の実施形態における情報処理装置３のハードウェア構成を示す図である。図１２は、第二の実施形態における情報処理装置３の機能構成を示す図である。図１３は、第二の実施形態における情報処理装置３が行う処理の詳細を示した処理フロー図である。
【００５７】
＜情報処理装置３のハードウェア構成＞
まず、情報処理装置３のハードウェア構成について図１１を用いて説明する。情報処理装置３は、情報処理装置３全体の動作を制御するＣＰＵ３０１、情報処理装置用プログラムを記憶したＲＯＭ３０２、ＣＰＵ３０１のワークエリアとして使用されるＲＡＭ３０３、各種データを記憶するＨＤ３０４、ＣＰＵ３０１の制御にしたがってＨＤ３０４に対する各種データの読み出し又は書込みを制御するＨＤＤ３０５、通信ネットワークを利用してデータ伝送をするためのネットワークＩ／Ｆ３０６、文字、数値、各種指示などの入力のための複数のキーを備えたキーボードＩ／Ｆ３０７、各種指示の選択や実行、処理対象の選択、カーソルの移動などを行うマウスＩ／Ｆ３０８、着脱可能な記録媒体の一例としてのＣＤ−ＲＯＭ３０９に対するデータの読み出し又は書込みを制御するＣＤ−ＲＯＭドライブ３１０及び、上記各構成要素を電気的に接続するためのアドレスバスやデータバス等のバスライン３１１を備えている。
【００５８】
＜情報処理装置３の機能構成＞
次に、図１２を用いて情報処理装置３の機能構成を説明する。情報処理装置３は、ＲＯＭ３０２に記憶されている情報処理装置用プログラムに従ったＣＰＵ３０１からの命令によって動作する送受信部３１、入力受付部３２、ＲＧＢ画像情報変換部３３および記憶・読出処理部３９を有している。送受信部３１は、通信ネットワーク等を介して画像形成装置１に対して各種データを送受信する。入力受付部３２にキーボードＩ／Ｆ３０７、マウスＩ／Ｆ３０８よって実現されるものであり、ユーザがキーボードやマウスを用いて入力した情報を受け付ける。ＲＧＢ画像情報変換部３３は、情報処理装置３で作成された、または受信したＲＧＢ画像情報を変換する。記憶・読出処理部３９、記憶部３０００はそれぞれ第一の実施形態における記憶・読出処理部１９９、記憶部１９００と同様であるため、それらについての説明を省略する。なお、情報処理装置３はＲＧＢ画像情報変換装置の一例である。
【００５９】
また、第二の実施形態における画像形成装置１および後処理装置２の構成は、画像形成情報変換部１９５を有さない点を除いて、それぞれ第一の実施形態における画像形成装置１および後処理装置２と同様である。したがって、それらの説明を省略する。
【００６０】
＜第二の実施形態の動作＞
続いて、第二の実施形態における各装置の動作について、図１３を用いて説明する。図１３に示されるように、まず、ユーザがキーボードやマウスを用いて情報処理装置３に後処理種別および後処理部分を含む後処理情報を入力すると、入力受付部３２が入力された後処理情報を受け付ける（ステップＳ４１）。そして、記憶・読出処理部３９が入力受付部３２によって受け付けられた後処理情報に含まれる後処理種別および後処理部分を検索キーとして、関連付けて記憶されている後処理位置座標を読み出す（ステップＳ４２）。
【００６１】
記憶・読出処理部３９によって後処理位置情報が読み出されると、ＲＧＢ画像情報変換部３３がＲ色、Ｇ色、Ｂ色の明度で表されているＲＧＢ画像情報のうち後処理部分にある画素の色を白色と変換する。すなわち、ＲＧＢ画像情報変換部３３がＲＧＢ画像情報のうちステップＳ４２で読み出された後処理位置座標の画素において各色の明度をＲ＝２５５、Ｇ＝２５５、Ｂ＝２５５と変換する（ステップＳ４３）。このようにして変換されたＲＧＢ画像情報を送受信部３１が通信ネットワーク等を経由して画像形成装置１に送信する。
【００６２】
情報処理装置３からＲＧＢ画像情報が受信されると、画像形成装置１は受信されたＲＧＢ画像情報に基づいて第一の実施形態におけるステップＳ２１、ステップＳ２２、およびステップＳ２４乃至ステップＳ２８に記載されている処理を実行する。このとき、各色の明度がＲ＝２５５、Ｇ＝２５５、Ｂ＝２５５である画素は白色を表すため、ステップＳ２２において画像形成情報生成部１９４は対応する画素の網点面積率をＲｃ＝０、Ｒｍ＝０、Ｒｙ＝０として画像形成情報を生成する。したがって、後処理部分にはトナーが付着しないように画像が形成される。
【００６３】
以上説明したように第二の実施形態によれば、情報処理装置３は、ＲＧＢ画像情報において用紙上の後処理が施される後処理部分の各色の明度を０と変換する。したがって、後処理装置２が、画像が形成された用紙に穴を開けたり、ステープル処理を施したりする際に、パンチ部２３やステープル部２４にトナーは付着されない。これにより、パンチ部２３やステープル部２４に不具合が発生したり、次に後処理を行う用紙にトナーが付着して画像に不良が発生したりするのを防ぐことができるという効果を奏する。
【００６４】
上記の第一および第二の実施形態では、Ｃ色、Ｍ色、Ｙ色、Ｋ色を用いて画像を形成することを記載しているが、これら４色のトナーの他にさらにクリアトナーを用いてもよい。なお、クリアトナーとは、透明のトナーであり、用紙に付着した有色トナーに付着されるとその有色トナーを視認できるように構成された樹脂粒子である。
【００６５】
また、第一および第二の実施形態では、後処理種別および後処理部分を検索キーとして後処理管理ＤＢ１９０１の後処理管理テーブルから後処理位置座標を読み出すとしているが、たとえば後処理装置２がステープル部２４を有さずパンチ部２３のみを有する場合には後処理部分のみを検索キーとして後処理位置座標を読み出せばよい。また、たとえば後処理装置２がパンチ部２３のみを有し、パンチ穴を開ける場所が固定されている場合には、記憶部１９００には後処理位置座標は固定された値が記憶される。この場合には検索キーを用いずに後処理位置座標を読み出せばよい。
【００６６】
また、第一の実施形態では、送受信部１９１によって受信されたＲＧＢ画像情報に基づいて画像形成情報生成部１９４が画像形成情報を生成するとしているが、画像形成情報生成部１９４は、画像読取部１１が読み取り、画像読取制御部１９３が受け付けたＲＧＢ画像情報に基づいて画像形成情報を生成してもよい。その場合、ユーザが表示・操作部１８を用いて入力し、入力受付部１９２が受け付けた後処理情報に基づいて、画像形成情報生成部１９４が画像形成情報を変換する。
【００６７】
また、第二の実施形態では、ＲＧＢ画像情報に基づいて画像形成情報が生成されるとしているが、Ｋ色のトナーのみによって画像が形成される場合には、モノクロの画像情報に基づいて画像形成情報が生成されるとすればよい。なお、ＲＧＢ画像情報、モノクロの画像情報のうち任意のものを画像情報という。
【符号の説明】
【００６８】
１  画像形成装置
２  後処理装置
１０  制御部
１１  画像読取部
１２  作像部
１３  給紙部
１５  定着部
１８  表示・操作部
２１  切替部
２３  パンチ部
２４  ステープル部
２５  排紙トレイ
１１１            コンタクトガラス
１１２  読取センサ
１２２  感光体ドラム
１２３  帯電部
１２４  露光部
１２５  現像部
１３１  用紙収容部
１３２            給紙ローラ
１３３  給紙ベルト
１３４  レジストローラ
１４１  駆動ローラ
１４２  従動ローラ
１４３  中間転写ベルト
１４４  一次転写ローラ
１４５  二次転写ローラ
１４６  二次対向ローラ
１５３  定着ローラ
１５５  定着対向ローラ
１５６  発熱部
１８１  パネル表示部
１８２  操作部
１９１  送受信部
１９２  入力受付部
１９３  画像読取制御部
１９４  画像形成情報生成部
１９５  画像形成情報変換部
１９６  画像形成制御部
１９９  記憶・読出処理部
２２１  搬送路
２２２  搬送路
２２３  搬送路
２３１  ポンチ
２３２  ダイス
１０１１  ＣＰＵ
１０１２  ＭＥＭ−Ｐ
１０１２ａ  ＲＯＭ
１０１２ｂ  ＲＡＭ
１０１３  ＮＢ
１０１４  ＳＢ
１０１５  ＡＧＰバス
１０１６  ＡＳＩＣ
１０１７  ＭＥＭ−Ｃ
１０１８  ＨＤ
１０１９  ＨＤＤ
１０２０  ＰＣＩバス
１０２１  ネットワークＩ／Ｆ
１９００  記憶部
１９０１  後処理管理データベース（ＤＢ）
１９６２  作像制御部
１９６３  給紙制御部
１９６４  転写制御部
１９６５  定着制御部
１９６６  排紙制御部
【先行技術文献】
【特許文献】
【００６９】
【特許文献１】特開平８−２６５７８号公報
【特許文献２】特開平８−１９８５０６号公報
【図１】
2014006422.tif 000003
【図２】
2014006422.tif 000004
【図３】
2014006422.tif 000005
【図４】
2014006422.tif 000006
【図５】
2014006422.tif 000007
【図６】
2014006422.tif 000008
【図７】
2014006422.tif 000009
【図８】
2014006422.tif 000010
【図９】
2014006422.tif 000011
【図１０】
2014006422.tif 000012
【図１１】
2014006422.tif 000013
【図１２】
2014006422.tif 000014
【図１３】
2014006422.tif 000015